(57)【要約】      （修正有）【課題】放射能で汚染された土壌の放射線量を低減させる方法を提供する。【解決手段】キク科ヨモギ属、特に「ニガヨモギ」を放射能汚染土壌に栽培することにより、土壌放射線量を低減させ、更に栽培した「ニガヨモギ」を病原菌・病原ウイルスの拡散防止素材として利用する。【選択図】なし【特許請求の範囲】
【請求項１】
放射能で汚染された土壌に、キク科ヨモギ属の一種であるニガヨモギを栽培することにより、土壌の放射線量を低下させる方法。
【請求項２】
請求項１で栽培したニガヨモギを、病原菌・病原ウイルスの拡散防止剤の原料として使用する方法。
【請求項３】
請求項２で病原菌・病原ウイルス拡散防止剤を生成した後に残るニガヨモギの残渣を、再び放射能で汚染された土壌で栽培するニガヨモギの虫除けとして散布する方法。
【発明の詳細な説明】
【技術分野】
【０００１】  本発明は、放射能で汚染された土壌に、キク科ヨモギ属、特に「ニガヨモギ」を栽培することにより、土壌の放射線量を低減させる方法に関する。
【技術背景】
【０００２】  従来から、土壌の放射線量を低減させるために、ゼオライト、モルデナイト、スメクタイト、医王石などの無機吸着素材を粉砕もしくは加工して、放射能で汚染された土壌に散布することで、放射性物質を吸着させる方法や、放射能で汚染された土壌を削離することで、対象となる土壌の放射線量を低減させる方法が、放射能の除染作業として多く行われている。
【０００３】  また、放射能で汚染された土壌にキノコ、ヒマワリや稲などの植物を栽培して、放射性物質を取り込ませることにより、土壌の放射線量を低下させる方法が、検証され行われている。
【０００４】  しかしながら、従来の吸着剤により放射性物質を吸着させた後の吸着剤は、放射性廃棄物となり、その処理のために二次的な放射線処理工程を行わなければならない。また、キノコや植物により放射性物質を取り込ませた後の植物は、最適な二次活用ができない限り、放射能に汚染された植物となるか放射性廃棄物となり、前述と同様に二次的な放射線除染処理が必要となる。
【発明の概要】
【発明が解決しようとする課題】
【０００５】  本発明は、以上のような吸着剤を使用せず、キク科ヨモギ属、特に「ニガヨモギ」を放射能で汚染された土壌に栽培することにより、土壌の放射線量を低減させることを目的としている。【０００６】  また本発明は、従来技術のようなキノコ、ヒマワリや稲などを放射能で汚染された土壌に栽培することにより、土壌の放射線量を低減させる方法とは異なり、放射能除染栽培後、収穫することにより、最適な二次活用ができることを目的としている。
【課題を解決するための手段】
【０００７】  キク科ヨモギ属、特に「ニガヨモギ」の苗木を、放射能で汚染された土壌で栽培する。【０００８】  栽培に際しての定めは特に無く、苗木を植えた後は、土壌が乾かないよう水をあげる。【０００９】  キク科ヨモギ属は多年草植物であり、一度、土壌に植えて成長することで、地下に這わせた根から新芽を出し、再び成長する。【００１０】  また、種は自然落下することにより発芽し、その土壌で自生を始める。【００１１】  放射能で汚染された土壌で成長した「ニガヨモギ」を収穫して、病原菌・病原ウイルスの拡散防止を目的とした製品を造る。（国際出願特許ＰＣＴ／ＪＰ２０１４／６８７５０）【００１２】  病原菌・病原ウイルスの拡散防止を目的とした製品を造った後に残る、「ニガヨモギ」の残渣は、使用した「ニガヨモギ」を収穫した土壌に虫除けを目的として撒く。
【発明の効果】
【００１３】  発明の効果を説明するために、以下のような実験を行った。【００１４】  放射能で汚染された土壌に、キク科ヨモギ属特に「ニガヨモギ」を栽培して、土壌の放射線量の推移を測定した。【００１５】  放射線レベル１．９５〜２．０５マイクロＳｖ／時の土壌を採取し、鉢植え用のプランターに移した。移した後のプランター内の土壌の放射線量は、０．５５〜０．６３マイクロＳｖ／時となっていた。【００１６】  前項で採取した土壌に、キク科ヨモギ属「ニガヨモギ」の苗木２本を植え栽培を開始し定期的にプランター内の土壌の放射線量を測定した。測定機器は、「ＳＯＥＫＳ−０１Ｍ（ロシア製）」を使用。この機器の放射線センサーは、ガイガー・ミューラー管であり、ガンマー線とベータ線の線量を測定できる。【００１７】  栽培開始から２０日後の放射線量は、０．４０〜０．４５マイクロＳｖ／時で、更に栽培開始から７０日後の放射線量は、０．３０〜０．４０マイクロＳｖ／時であった。【００１８】  栽培開始から２１０日後の放射線量は０．２６〜０．３６マイクロＳｖ／時で若干低下しているのみであったが、葉が付いた状態の枝を収穫し、日蔭干しで水分が無くなるまで乾燥させた。【００１９】  乾燥後の「ニガヨモギ」の葉の放射線量は、約０．２４マイクロＳｖ／時で、その葉を使用して、病原菌・病原ウイルス拡散防止剤の原料を精製。【００２０】  前項により、精製した原料の放射線量は、約０．１３マイクロＳｖ／時であり、安全なレベルの放射線量に低下していた。【００２１】  前項までの実験により得られた放射線量の推移をグラフ化した。（グラフ１）【００２２】
2016194499.tif 000002
【００２３】  実験の結果から、放射能で汚染された土壌の放射線量は、キク科ヨモギ属「ニガヨモギ」を栽培することで、低下することがわかった。【００２４】  「ニガヨモギ」は、根から土壌中のカリウムを取り込むことで自生の栄養源としているが、放射能で汚染された土壌からは、カリウムの代わりにセシウムを取り込むことが想像できる。この結果は、ある種の植物は根からセシウムを取り込み、土壌の放射線量を低下させる現象が確認されており、「ニガヨモギ」もその働きを持つ可能性が示唆されており、この結果は、それを裏付けるものであと考えられる。【００２５】  この実験結果から、２本の「ニガヨモギ」を栽培することにより、放射能で汚染された土壌の放射線量が低減された割合をグラフ化した。（グラフ２）【００２６】
2016194499.tif 000003
【００２７】  以上の実験結果から、放射能で汚染された土壤の放射線量はその土壌にキク科ヨモギ属、特に「ニガヨモギ」を栽培することにより、８４％程度低下することがわかった。しかもその「ニガヨモギ」を収穫し、病原菌・病原ウイルス拡散防止剤の原料に精製した結果、その原料の放射線量は、栽培開始時期から比べて９３％程度、放射線量が低下しており、その原料は、安全に使用することができると判断された。【００２８】  前項にある、「ニガヨモギ」の葉（茎を含む）を精製した後の病原菌・ウイルス拡散防止剤には、菌類の増殖抑制やウイルスの活性を抑える働きが確認できている。（国際出願特許ＰＣＴ／ＪＰ２０１４／６８７５０）
【発明を実施するための形態】
【００２９】  以下、本発明の実施を説明する。
【実施例１】
【００３０】  実際に放射能で汚染された農地（福島県郡山市）約２平方メートルの範囲に、キク科ヨモギ属「ニガヨモギ」の苗木を１０本植えて土壌放射線量の変化を確認した。【００３１】  栽培開始時の土壌放射線量は、０．４５〜０．５０マイクロＳｖ／時の中程度の放射線レベルであった。【００３２】  栽培開始から４ヶ月後の測定した土壌放射線量は、０．３５〜０．４０マイクロＳｖ／時で、放射線量の低下が確認できた。プランター内での実験と異なり、広い範囲での実験であり、土壌放射線量の低下率は低かったが、線量が低下することは確認できた。【００３３】  前項までの実験結果、実施例から、キク科ヨモギ属の「ニガヨモギ」を、放射能で汚染された土壌で栽培することにより、土壌放射線量を低減させることができる。【００３４】  更に、土壌放射能の除染後、栽培した「ニガヨモギ」を収穫し、その収穫した「ニガヨモギ」から精製した原料は、病原菌・病原ウイルスの拡散防止素材として有用である。（国際出願特許ＰＣＴ／ＪＰ２０１４／６８７５０）【００３５】  本発明は、従来の土壌放射線量を低下させる方法とは異なり、植物の栽培により土壌放射線量を低下させ、その当該植物を二次的に有効利用できるものである。
【産業上の利用可能性】
【００３６】  本発明は、放射能で汚染された土壌の除染分野、更に、菌類の増殖やウイルスの活性を抑える衛生雑貨の産業で利用される。【００３７】  また本発明から二次的に生成される病原菌・病原ウイルスの拡散防止素材は、非塩素系であり、非アルコール性での精製が可能であることから、従来の衛生雑貨素材では使用できなかった場所や場面で使用することが可能となるため、広く菌類の増殖やウイルスの活性を抑える衛生雑貨の産業で利用される。